【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
認証情報を秘密分散法にて第１分散ファイル及び第２分散ファイルに分散する分散部と、
前記第１分散ファイルを第１情報処理装置に記憶する第１記憶部と、
前記第２分散ファイルを第２情報処理装置に記憶する第２記憶部と、
前記第２分散ファイルを第３情報処理装置に記憶する第３記憶部と、
前記第３情報処理装置の使用者が正当な使用者であることを認証する使用者認証部と、
前記第１情報処理装置と前記第２情報処理装置とを近距離無線通信で接続するとともに、前記使用者認証部により前記第３情報処理装置の使用者が正当な使用者であると認証された場合にのみ前記第１情報処理装置と前記第３情報処理装置とを近距離無線通信で接続する通信部と、
前記第２記憶部で記憶した前記第２分散ファイルを前記通信部によって前記第１情報処理装置に送信する第１送信部と、
前記第３記憶部で記憶した前記第２分散ファイルを前記通信部によって前記第１情報処理装置に送信する第２送信部と、
前記通信部によって前記第２情報処理装置から前記第２分散ファイルを受信する第１受信部と、
前記通信部によって前記第３情報処理装置から前記第２分散ファイルを受信する第２受信部と、
前記第１記憶部で記憶した前記第１分散ファイルと前記第１受信部で受信した前記第２分散ファイルとを用いて前記認証情報を復元する第１復元部と、
前記第１記憶部で記憶した前記第１分散ファイルと前記第２受信部で受信した前記第２分散ファイルとを用いて前記認証情報を復元する第２復元部と、
前記第１復元部または前記第２復元部で復元した前記認証情報を用いて前記第１情報処理装置へのログイン認証を行うログイン認証部と、を有し、
前記使用者認証部は、前記使用者が制限なく前記第３情報処理装置を使用できる使用者か否かを判断し、
前記使用者が制限なく前記第３情報処理装置を使用できる使用者ではないと前記使用者認証部によって判断された場合、前記使用者に対してあらかじめ定められた制限を課する
ことを特徴とする情報処理システム。
【請求項２】
対象ファイルを秘密分散法にて第１分散ファイル及び第２分散ファイルに分散する第１分散部と、
前記第２分散ファイルを秘密分散法にて第３分散ファイル、第４分散ファイル及び第５分散ファイルに分散する第２分散部と、
前記第１分散ファイルを第１情報処理装置に記憶する第１記憶部と、
前記第３分散ファイルを前記第１情報処理装置に記憶する第２記憶部と、
前記第４分散ファイルを第２情報処理装置に記憶する第３記憶部と、
前記第５分散ファイルを第３情報処理装置に記憶する第４記憶部と、
前記第３記憶部で記憶した前記第４分散ファイルと前記第２記憶部で記憶した前記第３分散ファイルとを用いて前記第２分散ファイルを復元する第１復元部と、
前記第４記憶部で記憶した前記第５分散ファイルと前記第２記憶部で記憶した前記第３分散ファイルとを用いて前記第２分散ファイルを復元する第２復元部と、
前記第１復元部で復元した前記第２分散ファイルと前記第１記憶部で記憶した前記第１分散ファイルとを用いて前記対象ファイルを復元する第３復元部と、
前記第２復元部で復元した前記第２分散ファイルと前記第１記憶部で記憶した前記第１分散ファイルとを用いて前記対象ファイルを復元する第４復元部と、
前記第３復元部で復元した前記対象ファイルと前記第４復元部で復元した前記対象ファイルとでファイル属性を異ならせる
ことを特徴とする情報処理システム。
【請求項３】
前記第１復元部又は前記第２復元部で復元した前記認証情報を用いて前記第１情報処理装置にログインした場合に比べて、他の方法で前記第１情報処理装置にログインした場合に実行可能な前記第１情報処理装置の機能を制限するよう制御する制御部と、を更に有する
ことを特徴とする請求項１記載の情報処理システム。
【請求項４】
認証情報を秘密分散法にて第１分散ファイル及び第２分散ファイルに分散する分散工程と、
前記第１分散ファイルを第１情報処理装置に記憶する第１記憶工程と、
前記第２分散ファイルを第２情報処理装置に記憶する第２記憶工程と、
前記第２分散ファイルを第３情報処理装置に記憶する第３記憶工程と、
前記第３情報処理装置の使用者が正当な使用者であることを認証する使用者認証工程と、
前記第１情報処理装置と前記第２情報処理装置とを近距離無線通信で接続するとともに、前記使用者認証工程により前記第３情報処理装置の使用者が正当な使用者であると認証された場合にのみ前記第１情報処理装置と前記第３情報処理装置とを近距離無線通信で接続する通信工程と、
前記第２記憶工程により記憶した前記第２分散ファイルを前記通信工程によって前記第１情報処理装置に送信する第１送信工程と、
前記第３記憶工程により記憶した前記第２分散ファイルを前記通信工程によって前記第１情報処理装置に送信する第２送信工程と、
前記通信工程によって前記第２情報処理装置から前記第２分散ファイルを受信する第１受信工程と、
前記通信工程によって前記第３情報処理装置から前記第２分散ファイルを受信する第２受信工程と、
前記第１記憶工程により記憶した前記第１分散ファイルと前記第１受信工程により受信した前記第２分散ファイルとを用いて前記認証情報を復元する第１復元工程と、
前記第１記憶工程により記憶した前記第１分散ファイルと前記第２受信工程により受信した前記第２分散ファイルとを用いて前記認証情報を復元する第２復元工程と、
前記第１復元工程または前記第２復元工程で復元した前記認証情報を用いて前記第１情報処理装置へのログイン認証を行うログイン認証工程と、
前記使用者認証工程において、前記使用者が制限なく前記第３情報処理装置を使用できる使用者か否かを判断する判断工程と、
前記使用者が制限なく前記第３情報処理装置を使用できる使用者ではないと前記使用者認証工程で判断された場合、前記使用者に対してあらかじめ定められた制限を課する制限工程と、を有する
ことを特徴とする情報処理方法。
【請求項５】
対象ファイルを秘密分散法にて第１分散ファイル及び第２分散ファイルに分散する第１分散工程と、
前記第２分散ファイルを秘密分散法にて第３分散ファイル、第４分散ファイル及び第５分散ファイルに分散する第２分散工程と、
前記第１分散ファイルを第１情報処理装置に記憶する第１記憶工程と、
前記第３分散ファイルを前記第１情報処理装置に記憶する第２記憶工程と、
前記第４分散ファイルを第２情報処理装置に記憶する第３記憶工程と、
前記第５分散ファイルを第３情報処理装置に記憶する第４記憶工程と、
前記第３記憶工程により記憶した前記第４分散ファイルと前記第２記憶工程により記憶した前記第３分散ファイルとを用いて前記第２分散ファイルを復元する第１復元工程と、
前記第４記憶工程により記憶した前記第５分散ファイルと前記第２記憶工程により記憶した前記第３分散ファイルとを用いて前記第２分散ファイルを復元する第２復元工程と、
前記第１復元工程により復元した前記第２分散ファイルと前記第１記憶工程により記憶した前記第１分散ファイルとを用いて前記対象ファイルを復元する第３復元工程と、
前記第２復元工程により復元した前記第２分散ファイルと前記第１記憶工程により記憶した前記第１分散ファイルとを用いて前記対象ファイルを復元する第４復元工程と、
前記第３復元工程により復元した前記対象ファイルと前記第４復元工程により復元した前記対象ファイルとでファイル属性を異ならせる
ことを特徴とする情報処理方法。
【請求項６】
前記第１復元工程又は前記第２復元工程で復元した前記認証情報を用いて前記第１情報処理装置にログインした場合に比べて、他の方法で前記第１情報処理装置にログインした場合に実行可能な前記第１情報処理装置の機能を制限するよう制御する制御工程と、を更に有する
ことを特徴とする請求項４記載の情報処理方法。
【請求項７】
請求項１乃至３のいずれか１項に記載の情報処理システムの各部としてコンピュータを機能させるためのプログラム。